(57)【要約】【課題】シート状の有価媒体が有するセキュリティ要素を容易に確認する。【解決手段】セキュリティ要素を有するシート媒体を検査するための検査装置を、特定波長の光をシート媒体に照射する光源と、シート媒体を撮像するカメラと、シート媒体全面の基準画像を記憶する記憶部と、画像を表示する表示部と、カメラで撮像したシート媒体全面の画像と基準画像とを同じサイズで並べて表示部に表示すると共に、一方の画像を拡大表示する操作が行われたときは他方の画像も同じ倍率で拡大表示する制御部とによって構成する。【選択図】図１
2019070892.tif 000002
【特許請求の範囲】
【請求項１】
セキュリティ要素を有するシート媒体を検査するための検査装置であって、
特定波長の光をシート媒体に照射する光源と、
前記シート媒体を撮像するカメラと、
前記シート媒体全面の基準画像を記憶する記憶部と、
画像を表示する表示部と、
前記カメラで撮像した前記シート媒体全面の画像と前記基準画像とを同じサイズで並べて前記表示部に表示すると共に、一方の画像を拡大表示する操作が行われたときは他方の画像も同じ倍率で拡大表示する制御部と
を備えたことを特徴とするシート媒体検査装置。
【請求項２】
前記制御部は、前記表示部に拡大表示された２つの画像のうち一方の画像で、拡大表示する前記シート媒体上の部分領域の位置を移動する操作が行われたときは、他方の画像においても、拡大表示する前記シート媒体上の部分領域の位置を同一方向に同一距離移動することを特徴とする請求項１に記載のシート媒体検査装置。
【請求項３】
前記制御部は、
表示方法を重ね表示モードに変更する操作を受け付けて、
前記重ね表示モードでは、一方の画像の上に、半透明にした他方の画像を、前記一方の画像と同じサイズで重ねて表示すると共に、画像の位置を移動する操作が行われたときは、前記一方の画像の位置を固定して前記他方の画像の位置を移動する
ことを特徴とする請求項１又は２に記載のシート媒体検査装置。
【請求項４】
前記制御部は、
動作方法を管理者モードに変更する操作を受け付けて、
前記管理者モードで画像を保存する操作が行われたときは、前記カメラで撮像した前記シート媒体の画像を前記記憶部に保存する
ことを特徴とする請求項１〜３のいずれか１項に記載のシート媒体検査装置。
【請求項５】
前記光源及び前記カメラは筐体内に設けられ、
前記制御部は、前記カメラで１枚のシート媒体の全面を撮像した画像を補正して、前記シート媒体の実物とサイズ及び形状が同一の画像を前記表示部に表示する
ことを特徴とする請求項１〜４のいずれか１項に記載のシート媒体検査装置。
【請求項６】
前記筐体に、大判印刷物上で前記筐体の位置を所定位置に位置決めするためのマーカーが設けられていることを特徴とする請求項５に記載のシート媒体検査装置。
【請求項７】
前記所定位置は、前記大判印刷物の上に透明な検査板を置いて、該検査板の上に前記筐体を置いた状態で、前記マーカーの位置が、撮像するシート媒体に隣接するシート媒体の端部と一致する位置であることを特徴とする請求項６に記載のシート媒体検査装置。
【発明の詳細な説明】
【技術分野】
【０００１】
この発明は、紙幣や商品券等のシート状の有価媒体を検査するためのシート媒体検査装置に関し、特に、複数種類のセキュリティ要素を有する有価媒体の上に載置して該有価媒体を撮像した画像を目視確認しながら検査を行う可搬型のシート媒体検査装置に関する。
【背景技術】
【０００２】
従来、紙幣、商品券、パスポート、クレジットカード等、シート状の有価媒体を検査するために専用の検査装置が利用されている。検査装置を利用して、有価媒体の真偽を検査することができる。例えば、特許文献１には、紙幣上に載置して、紙幣を撮像した画像をビデオモニタ上に表示する装置が開示されている。波長の異なる２種類の光源を利用して、紙幣のセキュリティ要素を目視確認可能な画像を撮像する。ビデオモニタに表示された画像を目視してセキュリティ要素の有無を確認することにより、紙幣の真偽を判定することができる。
【０００３】
特許文献２には、真偽を調べる紙幣の一部領域を撮像した部分画像と、真正な紙幣の画像とを画面上に並べて表示する装置が開示されている。真偽を調べる紙幣の画像と、真正な紙幣の画像を目視で比較することにより、紙幣の真偽を判定することができる。特許文献３には、手に持った状態で紙幣を撮像するポータブル型の装置と、該装置用の治具が開示されている。治具を利用して装置と紙幣の位置を位置決めすることにより所定の紙幣画像を取得することができる。
【先行技術文献】
【特許文献】
【０００４】
【特許文献１】特許３８６２４２０号公報
【特許文献２】特許３５７４２１９号公報
【特許文献３】特開２００３−０９９８３８号公報
【発明の概要】
【発明が解決しようとする課題】
【０００５】
しかしながら、上記従来技術には操作性に係る問題があった。例えば、画面表示された紙幣画像の一部を拡大したり、拡大した画像を移動させたりする際に、所定ボタンを複数回操作する必要があった。
【０００６】
本発明は、上記従来技術による課題に鑑みてなされたものであって、シート状の有価媒体が有するセキュリティ要素を容易に確認することができるシート媒体検査装置を提供することを目的とする。
【課題を解決するための手段】
【０００７】
上述した課題を解決し、目的を達成するため、本発明は、セキュリティ要素を有するシート媒体を検査するための検査装置であって、特定波長の光をシート媒体に照射する光源と、前記シート媒体を撮像するカメラと、前記シート媒体全面の基準画像を記憶する記憶部と、画像を表示する表示部と、前記カメラで撮像した前記シート媒体全面の画像と前記基準画像とを同じサイズで並べて前記表示部に表示すると共に、一方の画像を拡大表示する操作が行われたときは他方の画像も同じ倍率で拡大表示する制御部とを備えたことを特徴とする。
【０００８】
また、本発明は、上記発明において、前記制御部は、前記表示部に拡大表示された２つの画像のうち一方の画像で、拡大表示する前記シート媒体上の部分領域の位置を移動する操作が行われたときは、他方の画像においても、拡大表示する前記シート媒体上の部分領域の位置を同一方向に同一距離移動することを特徴とする。
【０００９】
また、本発明は、上記発明において、前記制御部は、表示方法を重ね表示モードに変更する操作を受け付けて、前記重ね表示モードでは、一方の画像の上に、半透明にした他方の画像を、前記一方の画像と同じサイズで重ねて表示すると共に、画像の位置を移動する操作が行われたときは、前記一方の画像の位置を固定して前記他方の画像の位置を移動することを特徴とする。
【００１０】
また、本発明は、上記発明において、前記制御部は、動作方法を管理者モードに変更する操作を受け付けて、前記管理者モードで画像を保存する操作が行われたときは、前記カメラで撮像した前記シート媒体の画像を前記記憶部に保存することを特徴とする。
【００１１】
また、本発明は、上記発明において、前記光源及び前記カメラは筐体内に設けられ、前記制御部は、前記カメラで１枚のシート媒体の全面を撮像した画像を補正して、前記シート媒体の実物とサイズ及び形状が同一の画像を前記表示部に表示することを特徴とする。
【００１２】
また、本発明は、上記発明において、前記筐体に、大判印刷物上で前記筐体の位置を所定位置に位置決めするためのマーカーが設けられていることを特徴とする。
【００１３】
また、本発明は、上記発明において、前記所定位置は、前記大判印刷物の上に透明な検査板を置いて、該検査板の上に前記筐体を置いた状態で、前記マーカーの位置が、撮像するシート媒体に隣接するシート媒体の端部と一致する位置であることを特徴とする。
【発明の効果】
【００１４】
本発明によれば、商品券等のシート状媒体を検査する際に、検査する商品券の画像と、予め真正な商品券を撮像して準備した基準画像とを目視で比較しながら検査することができる。検査する商品券の画像と基準画像のいずれか一方を拡大すると他方の画像も拡大されるので、検査を容易に進めることができる
【図面の簡単な説明】
【００１５】
【図１】図１は、シート媒体検査装置の使用方法を説明するための模式図である。
【図２】図２は、シート媒体検査装置の外観を示す斜視図である。
【図３】図３は、シート媒体検査装置を裏面側から見た外観図である。
【図４】図４は、シート媒体検査装置の機能構成概略を示すブロック図である。
【図５】図５は、撮像部について説明するための図である。
【図６】図６は、撮像空間への光の照射方法を説明するための図である。
【図７】図７は、側方から見た撮像部を示す図である。
【図８】図８は、検査員モードの画面を示す図である。
【図９】図９は、管理者モードの画面を示す図である。
【図１０】図１０は、ガイドラインによる位置調整について説明するための図である。
【図１１】図１１は、並列表示モードの画面例を示す図である。
【図１２】図１２は、重ね表示モードの画面例を示す図である。
【発明を実施するための形態】
【００１６】
以下、添付図面を参照しながら、本発明に係るシート媒体検査装置の好適な実施形態について詳細に説明する。シート媒体検査装置は、例えば、商品券、パスポート、クレジットカードなど、紙製や樹脂製のシート状の有価媒体（以下「シート媒体」と記載する）を検査するための装置である。シート媒体検査装置を利用して、例えば、市場で使用されているシート媒体の真偽を検査することができる。また、媒体上に価値情報の印刷、偽造防止用の特殊インクによるセキュリティ要素の印刷等を行って有価媒体を作製する際に、文字、図柄、セキュリティ要素等の印刷品質を検査することができる。本実施形態では、商品券を作製する途中工程で、印刷品質を検査する場合を例に、シート媒体検査装置について説明する。
【００１７】
まず、本実施形態に係るシート媒体検査装置の使用方法を説明する。図１は、シート媒体検査装置１の使用方法を説明するための模式図である。図１は、商品券を印刷する途中工程で、５０枚の商品券１０１が５列１０行に印刷された大判印刷物１００の抜取検査を行う様子を示している。抜取検査では、大判印刷物１００に含まれる商品券１０１の印刷品質を検査する。なお、本実施形態では、図１に示すように、検査担当者がシート媒体検査装置１を両手で保持した状態で、検査対象者が居るＹ軸負方向側を前面、Ｙ軸正方向側を背面、左手側のＸ軸負方向側を左、右手側のＸ軸正方向側を右として説明する。
【００１８】
図１に示すように、シート媒体検査装置１は、上面にタッチパネル式の液晶表示装置から成る操作表示部２０を有する。検査担当者は、シート媒体検査装置１を、検査対象物の上に置いて利用する。シート媒体検査装置１を大判印刷物１００の上に直接置くと、汚れ、傷、皺等の原因となる可能性がある。このため、検査を行う際には、ガラス製又は樹脂製の透明な検査板１２０を利用する場合もある。図１は、検査台の上に置いた大判印刷物１００の上にガラス製の検査板１２０を置き、この検査板１２０の上にシート媒体検査装置１を置いた状態を示している。
【００１９】
シート媒体検査装置１は、装置筐体の内部に設けられた光源及びカメラを利用して、底面略中央の開口部から、下方にある商品券１０１を撮像する。商品券１０１を撮像して得られた商品券画像２００は、操作表示部２０の画面上に表示される。シート媒体検査装置１は、カメラで商品券１０１を撮像した画像を、予め設定された所定の補正情報に基づいて補正する。これにより、操作表示部２０の画面上に、サイズ（大きさ）及び形状が商品券１０１と同一の商品券画像２００が表示される。
【００２０】
検査担当者は、操作表示部２０の画面上に表示された実物大の商品券画像２００を目視確認しながら、商品券１０１の印刷品質を検査する。検査時には、商品券１０１に含まれる複数のセキュリティ要素それぞれを検査することができる。操作表示部２０で所定操作を行って、真正な商品券を撮像した基準画像を画面上に呼び出し、２つの画像を比較しながら検査することもできる。
【００２１】
例えば、商品券１０１が、赤外光を照射した際に発光するインクで印刷された第１のセキュリティ要素と、紫外光を照射した際に発光するインクで印刷された第２のセキュリティ要素を有するものとする。シート媒体検査装置１では、商品券１０１の撮像に利用する光源を選択することができる。検査担当者は、赤外光を照射する光源を選択し、商品券１０１に赤外光を照射して発光の様子を撮像した商品券画像２００を目視確認する。このとき、真正な商品券に赤外光を照射して撮像した基準画像を画面上に表示して、商品券１０１の画像と比較することもできる。商品券１０１の画像と基準画像とを表示する際には、これら２つの画像が同じサイズで表示される。検査担当者は、商品券１０１の実物と同一サイズかつ同一形状で表示された商品券画像２００を確認したり、商品券１０１の画像を基準画像と比較したりしながら、第１セキュリティ要素の有無や印刷品質を検査することができる。続いて、検査担当者は、紫外光を照射する光源を選択し、商品券１０１に紫外光を照射して発光の様子を撮像した商品券画像２００を目視確認する。この場合も、実物大の商品券画像２００を確認したり、真正な商品券に紫外光を照射して撮像した基準画像と商品券１０１の画像を比較したりしながら、第２セキュリティの有無や印刷品質を検査することができる。
【００２２】
操作表示部２０の画面上に、商品券画像２００と基準画像を並べて表示しているときに、いずれか一方の画像で、拡大、縮小、移動等の操作を行うと、他方の画像でも拡大、縮小、移動等の処理が行われる。すなわち、２つの画像の一方で行った操作が他方の画像にも反映される。
【００２３】
例えば、操作表示部２０の画面を左右に２分割した左側で商品券画像２００の一部の領域を拡大表示すると、画面の右側には、基準画像の同一領域を同一の拡大率で拡大した画像が表示される。すなわち、検査する商品券１０１上の部分領域の画像を画面上に表示すると、真正な商品券上の対応する部分領域の画像が、商品券１０１の部分領域画像と同じサイズで表示される。画面左側で、拡大表示された商品券を移動させると、画面右側の画像も同一方向に同一距離移動する。すなわち、拡大表示する商品券１０１上の部分領域の位置を移動すると、基準画像においても、拡大表示する真正な商品券上の部分領域の位置が同一方向に同一距離移動する。画面左側で、拡大表示された画像を縮小して商品券１０１の全体を表示する状態に戻すと、画面右側でも基準画像が縮小されて真正な商品券の全体が表示される。商品券１０１の画像と基準画像とを並べて表示した状態で、拡大、縮小、移動等の操作を行うことにより、全体を比較したり、一部の領域を拡大して比較したりしながら検査を進めることができる。この他、商品券画像２００と基準画像の一方を半透明にして、他方の画像の上に重ねた状態で表示することも可能となっているが詳細は後述する。
【００２４】
シート媒体検査装置１の内部にあるカメラは、位置が固定されている。このため、検査する商品券１０１の全体を撮像するために、検査板１２０の上でシート媒体検査装置１を移動して位置を調整する必要がある。
【００２５】
図１に示すように、シート媒体検査装置１の筐体前面下部に、大判印刷物１００に含まれる商品券１０１の長手の長さに合わせた長手マーカー１５（１５ａ、１５ｂ）が設けられている。筐体左側面の下部には、商品券１０１の短手の長さに合わせた短手マーカー１６（１６ａ、１６ｂ）が設けられている。長手マーカー１５は、商品券１０１の長手の中央位置を示すセンターマーカー１５ａと、長手両端の位置を示すアウターマーカー１５ｂとを含む。短手マーカー１６は、商品券１０１の短手の中央位置を示すセンターマーカー１６ａと、短手両端の位置を示すアウターマーカー１６ｂとを含む。各マーカーは、細い線で形成されている。
【００２６】
大判印刷物１００で印刷品質を検査する際、長手マーカー１５及び短手マーカー１６を、検査する商品券に隣接する商品券に合わせる。具体的には、大判印刷物１００の第２列第４行の位置にある商品券１０１を検査する際、図１に示すように、筐体前面の長手のアウターマーカー１５ｂを、第２列第５行の位置にある商品券１０１ａの長手両端の位置に合わせる。また、筐体左側面の短手のアウターマーカー１６ｂを、第１列第４行の位置にある商品券１０１ｂの短手両端の位置に合わせる。こうして、２つのアウターマーカー１５ｂを、手前側にある商品券１０１ａの短手上に合わせて、２つのアウターマーカー１６ｂを、左側にある商品券１０１ｂの長手上に合わせた位置が、検査用の適正位置となる。この位置で、シート媒体検査装置１によって第２列第４行の位置にある商品券を撮像すると、商品券の全体が傾きのない状態で撮像され、商品券の実物と同一サイズかつ同一形状の商品券画像２００が操作表示部２０に表示される。なお、検査する商品券の中に、短手や長手の長さが異なる商品券が含まれる場合は、筐体上に、各商品券に応じた複数のアウターマーカー１５ｂ、１６ｂを設けるが詳細は後述する。
【００２７】
シート媒体検査装置１は、操作表示部２０を含む略箱形形状の上部と、底面に向かって面積が徐々に小さくなる略逆四角錐台形状の下部とを接続した形状を有する。上部の箱形形状部分の裏面、左右両外側の２箇所に、指を掛けるための把手部１７が形成されている（図３参照）。図１に示すように、この把手部１７に両外側から指を掛けて、シート媒体検査装置１を両手で持ち、検査板１２０の上で任意の方向へ移動させることができる。
【００２８】
シート媒体検査装置１の底面４箇所に、脚部１８が設けられている（図３参照）。検査担当者は、両手で持ったシート媒体検査装置１を、脚部１８を検査板１２０に接触させたまま、検査板１２０の上を滑らせて移動させることができる。これにより、大判印刷物１００に含まれる複数枚の商品券１０１を、シート媒体検査装置１を移動させながら１枚ずつ順に検査することができる。
【００２９】
次に、図２〜図７を参照しながら、シート媒体検査装置１の構造について説明する。図２は、シート媒体検査装置１の外観を示す斜視図である。シート媒体検査装置１は、横幅が最大約３１０ｍｍ、奥行が最大約１９０ｍｍ、高さが約１３５ｍｍ、重量が３ｋｇ以下の可搬型検査装置である。
【００３０】
シート媒体検査装置１の筐体１０は、上部１０ａと下部１０ｂを接続した形状を有する。筐体上部１０ａは、操作表示部２０が設けられた上面から、下方向（Ｚ軸負方向）に進むにつれて横幅及び奥行が徐々に拡大する四角錐台形状を有する。一方、筐体下部１０ｂは、上部１０ａと接続された位置から下方向に進むにつれて横幅及び奥行が徐々に縮小する逆四角錐台形状を有する。筐体下部１０ｂの四側面は、高さ方向中央部を筐体内部の方向に窪ませた滑らかな曲面形状を有する。筐体下部１０ｂの左右の側面には、前後方向（Ｙ軸方向）略中央が窪んだ鉛直面が含まれる。この鉛直面の上方の位置、筐体上部１０ａの下面が把手部１７（図３参照）になっている。
【００３１】
図２に示す筐体上部１０ａの背面側に開閉式のカバー１１が設けられている。このカバー１１を開いた位置に、本体部５１の電源スイッチと、通信インターフェイス（以下「通信Ｉ／Ｆ」と記載する）６０とが設けられている。筐体上部１０ａの左側にも開閉式のカバー１２が設けられている。このカバー１２を開いた位置には、メモリカードを装着するスロットが設けられている。筐体下部１０ｂの左側面には、撮像部５２の電源スイッチ１３と、ＡＣ／ＤＣアダプター８１を接続するための接続端子１４とが設けられている。本体部５１、撮像部５２、通信Ｉ／Ｆ６０及びＡＣ／ＤＣアダプター８１については後述する。
【００３２】
図２に示すように、筐体下部１０ｂの前面にある長手のアウターマーカー１５ｂは、検査対象とする３種類の商品券に合わせた３本の線を含んでいる。３種類の商品券には、長手方向の長さが１６０ｍｍの商品券と、１５５ｍｍの商品券と、１５０ｍｍの商品券とが含まれる。このため、センターマーカー１５ａを共通にして、各商品券に対応する３本の線が、アウターマーカー１５ｂとして設けられている。図示の都合上、図２ではアウターマーカー１５ｂを全て同一の線で示しているが、実際には、商品券の種類別に各線の色が異なっている。
【００３３】
３種類の商品券は、短手方向の長さが７０ｍｍで共通である。このため、図２に示す短手のアウターマーカー１６ｂの線は１本のみとなっている。検査対象とする商品券の短手長さが異なる場合には、長手と同様に、アウターマーカー１５ｂが各商品券に合わせた複数本の線を含むことになる。
【００３４】
図３は、シート媒体検査装置１を裏面側から見た外観図である。シート媒体検査装置１の上面と、筐体下部１０ｂの底面とは、略平行になっている。筐体左右の側面には、上面と略平行な平面で形成された把手部１７が設けられている。図１に示すように、この把手部１７に指を掛けて、シート媒体検査装置１を持ち上げたり移動させたりすることができる。
【００３５】
筐体下部１０ｂの底面４箇所に脚部１８が設けられている。脚部１８は、底面の左右方向（Ｘ軸方向）両外側の位置に、前後方向（Ｙ軸方向）に距離を離して配置されている。図１に示すように、シート媒体検査装置１を検査板１２０の上に載置すると、脚部１８の先端が検査板１２０の上面と接し、筐体底面の他の領域と検査板１２０の上面との間に数ミリ程度の僅かな隙間が生ずるようになっている。
【００３６】
図３に示すように、筐体底面の略中央の位置に、四角柱形状に窪んだ撮像空間９０が形成されている（図５参照）。撮像空間９０の上面に、前後方向に配列された２つのカメラ４１、４２が設けられている。２つのカメラ４１、４２を挟んで左右両外側には、紫外光を照射する第４光源３４が設けられている。カメラ４１、４２及び第４光源３４の下側（Ｚ軸負方向側）には、紫外光フィルター１４０及び可視光フィルター１３５が設けられている（図７（ｂ）参照）。
【００３７】
図４は、シート媒体検査装置１の機能構成概略を示すブロック図である。シート媒体検査装置１は、筐体上部１０ａの内部に設けられた本体部５１と、筐体下部１０ｂの内部に設けられた撮像部５２とを含む。
【００３８】
本体部５１は、操作表示部２０、通信Ｉ／Ｆ６０、記憶部７０、バッテリー８０及び制御部５０を含む。本体部５１として、例えば、タッチパネル式の液晶表示装置を備えるタブレット型コンピュータ装置を利用することができる。
【００３９】
制御部５０は、本体部５１及び撮像部５２を構成する各部の機能及び動作を制御する機能を有する。本実施形態に記載したシート媒体検査装置１の機能及び動作は、制御部５０が各部を制御することによって実現されている。
【００４０】
操作表示部２０は、例えば、画面解像度が１９２０×１０８０画素の１０．１インチのタッチパネル式液晶表示装置から成る。操作表示部２０は、画面上に表示したボタンを利用して行われる設定操作や指示操作に係る各種情報を、制御部５０に入力する操作部として機能する。また、操作表示部２０は、検査する商品券の画像、この画像と比較するために予め準備されている基準画像、各種の設定情報等を、画面上に出力表示する表示部として機能する。
【００４１】
通信Ｉ／Ｆ６０は、カメラ４１、４２で撮像した画像を、外部装置に出力する機能を有する。通信Ｉ／Ｆ６０からＶＧＡやＨＤＭＩ（登録商標）等の所定規格の信号を出力することができる。通信Ｉ／Ｆ６０を介して、シート媒体検査装置１と、コンピュータ装置用のディスプレイや、テレビ受像器のディスプレイ等の外部装置とを接続する。これにより、操作表示部２０の画面上に表示する情報を、接続した外部装置に表示することができる。
【００４２】
記憶部７０は、設定やデータの保存に利用される不揮発性の記憶装置である。例えば、本体部５１に内蔵された半導体メモリや、本体部５１のカードスロットに挿入されたメモリカードを、記憶部７０として利用することができる。
【００４３】
記憶部７０には、予め、真正な商品券を撮像した基準画像等、真正な商品券に関する情報が基準データ７１として保存されている。基準データ７１は、検査する可能性がある全種類の商品券について、種類別に保存されている。また、操作表示部２０で所定の操作を行うことにより、カメラ４１、４２で撮像した商品券の画像を、検査データ７２として、記憶部７０に保存することができる。さらに、記憶部７０には、予め、商品券検査に必要な設定情報等が、設定データ７３として保存されている。設定データ７３には、カメラ４１、４２で撮像した画像の歪み、画質、表示倍率等を補正して、撮像した商品券と同一サイズかつ同一形状の画像を操作表示部２０の画面上に表示するための補正情報が含まれている。
【００４４】
バッテリー８０は、本体部５１及び撮像部５２の電源として機能する。図２に示す筐体上部１０ａのカバー１１を開いて電源スイッチをオンにすると、バッテリー８０から電源を供給された本体部５１が起動する。同様に、筐体下部１０ｂの左側面にある電源スイッチ１３をオンにすると、バッテリー８０から電源を供給された撮像部５２で光源の点灯やカメラによる撮像を行える状態になる。本体部５１及び撮像部５２をバッテリー駆動とすることで、検査時には、シート媒体検査装置１を、電源ケーブル等のケーブル類が何も接続されていないワイヤレス状態で使用することができる。また、本体部５１と撮像部５２の電源スイッチを別々に設けることで、例えば記憶部７０に保存した画像の確認操作等を行う際には、本体部５１のみを起動できるようになっている。
【００４５】
図４に破線で示すように、電源として、ＡＣ／ＤＣアダプター８１を利用することもできる。ＡＣ／ＤＣアダプター８１を商用電源が供給されるコンセントに接続する。そして、ＡＣ／ＤＣアダプター８１の電源入力端子を、図３に示す接続端子１４に接続することにより、本体部５１及び撮像部５２は、ＡＣ／ＤＣアダプター８１から供給された電源により動作することができる。また、ＡＣ／ＤＣアダプター８１を接続端子１４に接続することで、バッテリー８０を充電できるようになっている。
【００４６】
撮像部５２は、第１光源３１、第２光源３２、第３光源３３及び第４光源３４と、第１カメラ４１及び第２カメラ４２と、持上検知センサ１９とを含む。第１光源３１〜第４光源３４として、例えばＬＥＤを利用する。
【００４７】
第１カメラ４１は、可視光領域の画像を撮像する機能を有する。第２カメラ４２は、赤外光領域の画像を撮像する機能を有する。第１カメラ４１は、可視光による検査時に、商品券の可視光画像を取得するために利用する。また、第１カメラ４１は、紫外光による検査時に、商品券の可視光画像を取得するために利用する。第２カメラ４２は、赤外光による検査時に、商品券の赤外光画像を取得するために利用する。
【００４８】
シート媒体検査装置１の筐体１０を小型化するため、検査する商品券から第１カメラ４１及び第２カメラ４２までの距離が短くなっている。このため、第１カメラ４１及び第２カメラ４２は、広角レンズや魚眼レンズ等の特殊レンズを利用して、商品券全体を撮像する。特殊レンズの特性により、撮像した画像の周辺で、歪みや画質の低下が生ずる。検査時には、制御部５０が、予め設定データ７３として記憶部７０に保存されている補正情報を利用して、第１カメラ４１及び第２カメラ４２で撮像した画像の歪みや画質をリアルタイムに補正する。これにより、操作表示部２０の画面上に、歪みのない高画質な商品券画像２００を、商品券１０１と同一形状で表示できるようになっている。
【００４９】
また、設定データ７３の中には、第１カメラ４１及び第２カメラ４２で撮像した商品券の画像を、操作表示部２０の画面上で、商品券実物と同一サイズで表示するための補正情報が含まれている。この補正情報は、図１に示すように、検査板１２０の上にシート媒体検査装置１を載置した際の大判印刷物１００から第１カメラ４１及び第２カメラ４２までの距離、第１カメラ４１及び第２カメラ４２のレンズの倍率、第１カメラ４１及び第２カメラ４２から出力される画像の解像度、操作表示部２０のサイズ及び画面解像度等に基づいて設定されている。検査時には、制御部５０が、この補正情報に基づいて、操作表示部２０の画面上に表示する商品券画像２００のサイズを調整する。これにより、操作表示部２０に表示する商品券画像の画面上のサイズ及び形状を、商品券実物のサイズ及び形状と同一とすることができる。なお、検査板１２０を使用しない場合には、サイズ調整に係る補正情報が、検査板１２０なしで商品券実物のサイズ及び形状の商品券画像を表示するように設定される。
【００５０】
第１光源３１は、可視光領域の光（白色光）を発する。可視光による検査時には、第１光源３１の白色光を商品券に照射して、第１カメラ４１で可視光画像を取得する。第４光源３４は、所定波長域の紫外光を発する。紫外光による検査時には、第４光源３４の紫外光を商品券に照射して、第１カメラ４１で可視光画像を取得する。第４光源３４から照射する紫外光の波長域は、商品券のセキュリティ要素に合わせて設定される。具体的には、例えば、商品券が、紫外光を照射して発光するセキュリティ要素を有する場合、第４光源３４から照射する紫外光の波長域を、このセキュリティ要素が発光する波長域とする。
【００５１】
第２光源３２は、所定波長域の赤外光を発する。第２光源３２の赤外光による検査時には、第２光源３２の赤外光を商品券に照射して、第１カメラ４１で赤外光画像を取得する。第３光源３３は、第２光源３２から照射する赤外光の波長域とは異なる所定波長域の赤外光を発する。第３光源３３の赤外光による検査時には、第３光源３３の赤外光を商品券に照射して、第２カメラ４２で赤外光画像を取得する。第２光源３２から照射する赤外光の波長域及び第３光源３３から照射する赤外光の波長域についても、紫外光と同様に、商品券のセキュリティ要素に合わせて設定されている。具体的には、商品券が、所定波長域の赤外光を照射した際に発光するセキュリティ要素を有する場合、第２光源３２から照射する赤外光の波長域を、このセキュリティ要素が発光する波長域とする。また、商品券が、第２光源３２から照射する赤外光とは異なる波長域の赤外光で発光する別のセキュリティ要素を有する場合に、第３光源３３から照射する赤外光の波長域を、このセキュリティ要素が発光する波長域とする。
【００５２】
持上検知センサ１９は、シート媒体検査装置１が検査板１２０の上に載置されていることを検知するために利用する。持上検知センサ１９は、例えば、小型のピンによる押しボタン式の小型スイッチから成る。持上検知センサ１９を利用して、シート媒体検査装置１が検査板１２０の上に置かれているか否かを検知できるようになっている。シート媒体検査装置１が検査板１２０の上に置かれているときは、制御部５０が、持上検知センサ１９によってこれを検知し、操作表示部２０から入力された指示操作に基づいて、光源の点灯や、カメラによる撮像を実行する。一方、シート媒体検査装置１が検査板１２０から持ち上げられているときは、制御部５０が、持上検知センサ１９によってこれを検知し、光源を消灯すると共にカメラによる撮像を停止する。
【００５３】
商品券１０１の検査中にシート媒体検査装置１が持ち上げられると、検査に適した画像を得られない可能性がある。このため、制御部５０は、持上検知センサ１９によってシート媒体検査装置１の状態を検知し、検査に適さない状態になると、光源を消灯すると共に商品券１０１の撮像を停止する。検査中、操作表示部２０の画面に表示されていた商品券画像が消失すると、検査担当者は、シート媒体検査装置１の状態に問題があることを認識して適正な状態に戻すことができる。
【００５４】
図５は、撮像部５２について説明するための図である。図６は、撮像空間９０への光の照射方法を説明するための図である。図７は、側方から見た撮像部５２を示す図である。図５（ａ）及び図７では、筐体１０を破線で示している。
【００５５】
図５（ａ）及び図７に示すように、撮像空間９０の上面、略中央の位置に、第１カメラ４１及び第２カメラ４２が前後方向（Ｙ軸方向）に並べて配置されている。第１カメラ４１及び第２カメラ４２の下方、商品券と各カメラ４１、４２との間の位置に、紫外光をカットする紫外光フィルター１４０が設けられている。２枚の第４基板１３４が、撮像空間９０の上面、第１カメラ４１及び第２カメラ４２の左右両外側の位置に配置されている。図７に示すように、第４基板１３４のそれぞれに、下方に向けて紫外光を照射する第４光源３４が設けられている。第４光源３４の下方、商品券と第４光源３４との間の位置に、可視光をカットする可視光フィルター１３５が設けられている。
【００５６】
紫外光を照射した際に可視光領域で発光するセキュリティ要素を有する商品券がある。このセキュリティ要素の画像を取得する際に、第４光源３４を点灯する。第４光源３４を点灯すると、可視光フィルター１３５によって可視光成分がカットされ、紫外光のみが商品券に照射される。商品券上で、紫外光を受けたセキュリティ要素が発光すると、第１カメラ４１が、この発光を撮像する。このとき、紫外光フィルター１４０によって紫外光成分がカットされ、可視光のみが第１カメラ４１に到達する。こうして、第４光源３４及び第１カメラ４１を利用して、紫外光を照射して発光したセキュリティ要素の可視光画像を取得することができる。
【００５７】
図５（ａ）に示すように、２枚の拡散板１５０は略平行に対向配置されている。拡散板１５０は、薄板形状を有し、一方の面から入射した光を拡散して、他方の面から一様な光を出射する。それぞれの拡散板１５０の外側に、薄板形状を有する第１反射板１５１が設けられている。第１反射板１５１と、後述する第２反射板１５２及び第３反射板１５３は、入射した光を反射する。
【００５８】
第１反射板１５１は、拡散板１５０の表面に長手縁部を接した状態で、拡散板１５０と略垂直に設けられている。第１反射板１５１は、下面で光を受けて下方に反射する。２枚の拡散板１５０それぞれの前後方向（Ｙ軸方向）外側、第１反射板１５１の下方（Ｚ軸負方向）の位置に、第１基板１３１が配置されている。第１基板１３１には、筐体１０の外側、すなわち撮像空間９０とは反対の方向（Ｙ軸方向でそれぞれ外向き）に可視光を照射する第１光源３１が設けられている。
【００５９】
図５（ａ）に示すように、２枚の拡散板１５０それぞれの外側、第１反射板１５１の長手方向（Ｘ軸方向）両外側に、第２基板１３２が配置されている。２枚の第２基板１３２は、それぞれ第１反射板１５１の短手縁部に接する形で設けられている。第２基板１３２には、撮像空間９０の外側で第１反射板１５１の長手方向（Ｘ軸方向）に赤外光を照射する第２光源３２及び第３光源３３が設けられている。
【００６０】
図５（ａ）には示していないが、図５（ｂ）に示すように、筐体１０内部には、第１光源３１、第２光源３２及び第３光源３３を取り囲むように、第２反射板１５２が配置されている。第２反射板１５２は、上方から見た形状がコの字型の薄板形状を有する。第２反射板１５２は、コの字型に囲われた内側の面で光を受けて反射する。第１反射板１５１の３つの縁部が、それぞれコの字型の第２反射板１５２内側の面に接している。
【００６１】
具体的には、図６に示すように、筐体１０の底面に、撮像空間９０を形成する開口部の長手に沿って２枚の拡散板１５０を配置する。各拡散板１５０の高さ方向途中の位置、撮像空間９０の外側に、略水平に第１反射板１５１を配置する。コの字型の第２反射板１５２と、薄板形状を有する第３反射板１５３とを角筒形に組み合わせて、２枚の拡散板１５０及び２枚の第１反射板１５１を取り囲むように配置する。こうしてできる第１反射板１５１の下にある空間に、図５（ａ）に示すように第１光源３１〜第３光源３３を配置する。対向する２枚の拡散板１５０と、対向する２枚の第３反射板１５３と、紫外光フィルター１４０及び可視光フィルター１３５を含む上面とによって、筐体１０底面の開口部のみが開放された撮像空間９０が形成される。このように撮像空間９０内に環境光が入り難い構造とすることで、検査時には、第１光源３１〜第４光源３４の中から選択した光源を点灯し、所定波長域の光を照射した商品券の画像を取得することができる。
【００６２】
拡散板１５０、第１反射板１５１、第２反射板１５２及び筐体１０底面で囲まれた空間内で、第１光源３１を点灯すると、可視光が、第１反射板１５１及び第２反射板１５２によって反射されて空間内に行き渡る。そして、可視光は、拡散板１５０から撮像空間９０へ一様に照射される。第２光源３２を点灯した場合も、同様に、第１反射板１５１及び第２反射板１５２によって反射された赤外光が、拡散板１５０から撮像空間９０へ一様に照射される。可視光及び赤外光は、撮像空間９０を形成する２枚の拡散板１５０から、撮像空間９０内へ照射される。撮像空間９０内では、第３反射板１５３が、撮像空間９０内へ光を反射する。
【００６３】
シート媒体検査装置１では、第１光源３１〜第３光源３３から撮像空間９０に向けて光を直接照射せず、間接的に撮像空間９０内を照らすようになっている。拡散板１５０と、第１反射板１５１〜第３反射板１５３とを利用することにより、検査対象とする商品券に十分な光量の光を一様に照射することができる。
【００６４】
次に、操作表示部２０に表示される操作画面を示しながらシート媒体検査装置１の機能及び動作について説明する。まず、本体部５１の電源スイッチをオンにすると、シート媒体検査装置１は、検査員モードで起動する。検査員モードは、検査担当者が、図１に示すように、大判印刷物１００に含まれる商品券１０１を検査する際に使用する動作モードである。続いて、撮像部５２の電源スイッチ１３をオンにすると、光源による光の照射や、カメラによる撮像が可能な状態となる。ただし、後述する所定操作が行われるまでは、光源は点灯せず、カメラによる撮像も行われない。
【００６５】
図８は、検査員モードの画面を示す図である。図８に示すように、検査員モードでは、画面上部に、撮影ボタン３０１ａ、停止ボタン３０１ｂ、画像位置初期化ボタン３０２、並列表示ボタン３０３ａ、重ね表示ボタン３０３ｂ、ガイド表示ボタン３０４、モード切替ボタン３０５及び終了ボタン３０６が表示される。画面下部には、白色光ボタン３０９ａ、第１赤外光ボタン３０９ｂ、第２赤外光ボタン３０９ｃ、紫外光ボタン３０９ｄ及び消灯ボタン３０９ｅと、ステータス枠３０８とが表示される。上部ボタンと下部ボタンとの間にある画像表示領域３０７に、検査する商品券を撮像した商品券画像や、予め真正画像を撮像して記憶部７０に保存されている基準画像が表示される。
【００６６】
画面左下にある白色光ボタン３０９ａを押すと、第１光源３１が点灯し、検査する商品券に可視光を照射することができる。第１赤外光ボタン３０９ｂを押すと、第２光源３２が点灯し、検査する商品券に所定波長域の赤外光を照射することができる。第２赤外光ボタン３０９ｃを押すと、第３光源３３が点灯し、検査する商品券に第２光源３２とは異なる波長域の赤外光を照射することができる。紫外光ボタン３０９ｄを押すと、第４光源３４が点灯し、検査する商品券に所定波長域の紫外光を照射することができる。消灯ボタン３０９ｅを押すと、全ての光源が消灯する。なお、本実施形態でボタンを押すと記載する操作は、タッチパネルにタッチする操作に対応している。
【００６７】
画面左上にある撮影ボタン３０１ａを押すと、第１カメラ４１又は第２カメラ４２による撮像が開始され、撮像された商品券画像が画像表示領域３０７に表示される。点灯中の光源によって、第１カメラ４１又は第２カメラ４２が自動的に選択され、商品券の撮像が開始される。具体的には、例えば、白色光ボタン３０９ａ又は紫外光ボタン３０９ｄを押した状態で撮影ボタン３０１ａを押すと、第１カメラ４１による撮像が開始される。第１赤外光ボタン３０９ｂ又は第２赤外光ボタン３０９ｃを押した状態で撮影ボタン３０１ａを押すと、第２カメラ４２による撮像が開始される。光源とカメラとの対応は、予め設定情報として記憶部７０の設定データ７３に保存されている。
【００６８】
画像位置初期化ボタン３０２は、画像表示領域３０７に表示された商品券画像の位置を初期化するボタンである。操作表示部２０はタッチパネル式の液晶表示装置で、画面上の画像に指で直接触れて操作するピンチイン操作やピンチアウト操作を行って、商品券画像の拡大や縮小を行うことができる。また、ドラッグ操作を行って、画面上の商品券画像を移動させることができる。拡大、縮小、移動等を行った後に、画像位置初期化ボタン３０２を押すと、商品券全体を実物大で表示した初期状態に戻るようになっている。画面左上の終了ボタン３０６は、本体部５１の動作を終了するためのボタンである。画面右下のステータス枠３０８には、シート媒体検査装置１の動作状態に関する情報が文字で表示される。画面上部にある並列表示ボタン３０３ａ、重ね表示ボタン３０３ｂ及びガイド表示ボタン３０４については後述する。
【００６９】
シート媒体検査装置１は、検査担当者が商品券の検査に利用する検査員モードの他、管理者モードで動作させることもできる。管理者モードは、所定権限を有する管理者のみが利用可能な動作モードである。画面右上のモード切替ボタン３０５を押すと、画面上にパスワードを求めるウィンドウが表示される。管理者がパスワードを入力すると、予め記憶部７０に設定データ７３として保存されている認証情報に基づいて、認証処理が実行される。そして、管理者モードの使用権限を有することが確認されると、操作表示部２０の画面表示が、図８に示す検査員モードから、図９に示す管理者モードに切り替わる。
【００７０】
図９は、管理者モードの画面を示す図である。検査員モードから管理者モードに切り替わると、画面右下のステータス枠３０８に、管理者モードによる設定画面であることを示す情報が表示される。管理者モードでは、画面左上の撮影ボタン及び停止ボタンに続いて、画像保存ボタン３１１、画像読込ボタン３１２、画像位置初期化ボタン３１３、解像度切替用のコンボボックス３１４、補正処理切替用のコンボボックス３１５が表示される。
【００７１】
検査員モードでは、光源を点灯してカメラで撮像中の検査対象商品券の画像がリアルタイムに画像表示領域３０７に表示される。検査担当者は、この画像を目視確認しながら検査を行うが、画像を保存することはできない。一方、管理者は、管理者モードに切り替えて画像保存ボタン３１１を押すことにより、画面上に表示されている商品券の画像を保存することができる。画像は、各画像を区別するための識別番号を付された状態で、検査データ７２として記憶部７０に保存される。管理者モードでは、記憶部７０に検査データ７２として保存された過去の検査時の画像を、画像読込ボタン３１２によって読み出して、操作表示部２０の画面上に表示させることもできる。画面下部には、読み出した画像の識別番号３２５が表示される。識別番号３２５の左右に表示された送りボタン３２６ａ、３２６ｂを押して、画面上に表示する画像を変更できるようになっている。画像位置初期化ボタン３１３は、検査員モードの画像位置初期化ボタン３０２と同一の機能を有する。
【００７２】
解像度コンボボックス３１４及び補正処理コンボボックス３１５は、検査員モードの動作設定を切り替えるために利用される。解像度コンボボックス３１４で解像度を変更すると、検査員モードでも、変更後の画像解像度で商品券の画像取得が行われる。補正処理コンボボックス３１５で、補正処理の有効、無効を切り替えると、検査員モードでも、この設定に基づいて商品券の画像取得が行われる。
【００７３】
具体的には、解像度コンボボックス３１４を押すと、複数種類の画像解像度が一覧表示される。一覧表示された中から画像解像度を選択することで、第１カメラ４１及び第２カメラ４２で撮像する画像の解像度を変更することができる。例えば、６４０×４８０画素の低解像度と、１０２４×７６８画素の中解像度と、１２８０×９６０画素の高解像度との間で、画像解像度を切り替えることができる。
【００７４】
補正処理コンボボックス３１５では、補正処理を行うか否かを選択することができる。補正処理を有効にすると、上述したように、第１カメラ４１及び第２カメラ４２で撮像された画像の周辺の歪みや画質が補正され、操作表示部２０の画面上に補正後の商品券画像が表示される。一方、補正処理を無効にすると、周辺に歪みや画質低下がある画像がそのまま画面上に表示される。
【００７５】
画面右側には、シート媒体検査装置１の設定を変更するための操作画面が表示される。カメラボタン３１６ａを押すと、図９に示す画面が表示され、第１カメラ４１及び第２カメラ４２に関する設定を変更することができる。
【００７６】
第１カメラ４１及び第２カメラ４２で撮像した画像の周辺歪み等を校正する補正値を設定する際には、所定サイズの白色正方形と黒色正方形が交互に配列されたチェスボード模様の校正用シートを利用する。校正用シート上の所定位置にシート媒体検査装置１を置いて、図９に示すカメラ校正枠３１７にある校正実行ボタン３１８を押す。これにより、第１光源３１を点灯してチェスボード模様を撮像した画像に基づいて、歪みや画質低下を補正するための補正値が自動的に設定される。第１カメラ４１と第２カメラ４２のいずれを校正するかは、表示倍率調整枠３１９のカメラ選択コンボボックス３２０で切り替えられるようになっている。カメラ校正枠３１７には、歪率（歪曲率）の数値が表示される。この表示により、校正前の歪率や校正後の歪率を確認することができる。
【００７７】
また、校正実行ボタン３１８を押すと、校正用シートのチェスボード模様を形成する矩形のサイズに基づいて、この矩形が操作表示部２０の画面上で、実寸大で表示されるように補正する補正値が自動的に設定される。補正値として設定されたＸ方向の倍率及びＹ方向の倍率の値は、表示倍率調整枠３１９内に表示される。表示倍率の補正は、カメラ選択コンボボックス３２０で第１カメラ４１又は第２カメラ４２を選択して、各カメラについて行うことができる。また、表示倍率調整枠３１９内にある解像度コンボボックス３２１で解像度を選択して、各解像度について表示倍率の補正を行うことができる。
【００７８】
表示倍率調整枠３１９に表示されたＸ方向の倍率及びＹ方向の倍率の値は、手動操作で変更することもできる。具体的には、例えば一辺が１００ｍｍの正方形を印刷したシートの上に検査板１２０を置いて、検査板１２０の上にシート媒体検査装置１を置く。そして、撮影ボタン３０１ａを押して、例えば第１カメラ４１で撮像中の画像を、操作表示部２０の画面上に表示させる。この状態で、Ｘ方向の倍率及びＹ方向の倍率の値を手動で入力して反映３２２ボタンを押すと、画面上に、入力した倍率で画像が表示される。画面上の正方形画像の一辺が１００ｍｍとなるようにＸ方向の倍率及びＹ方向の倍率の値を調整する。倍率が決まったら表示倍率調整枠３１９内にある保存ボタン３２３を押し、記憶部７０の設定データ７３に含まれる補正情報を、調整後の値に更新することができる。このように、自動又は手動で倍率補正に係る補正情報を設定することにより、検査板１２０を使用しない場合や、検査板１２０を変更した場合にも、操作表示部２０の画面上に、撮像中の商品券と同一サイズの商品券画像を表示させることができる。
【００７９】
カメラボタン３１６ａの右側にあるＬＥＤボタン３１６ｂを押すと、第１光源３１〜第４光源３４の設定を変更する画面になる。この画面上では、第１光源３１〜第４光源３４それぞれについて点灯時の電流値を変更して、各光源から照射される光の強度を変更できるようになっている。また、情報ボタン３１６ｃを押すと、現在設定されている補正情報、補正情報を設定した補正日等の情報を確認できるようになっている。ログアウトボタン３２４を押すと、管理者モードを終了して、図８に示す検査員モードに戻る。
【００８０】
検査員モードでは、操作表示部２０の画面上に、シート媒体検査装置１の位置を調整するためのガイドラインを表示することができる。図１０は、ガイドライン４０１による位置調整について説明するための図である。検査担当者が、図１に示すように大判印刷物１００上の検査板１２０の上にシート媒体検査装置１を置いて、画面上部にあるガイド表示ボタン３０４を押すと、選択可能な商品券の種類が画面上に一覧表示される。検査担当者が、商品券画像２０１の種類を選択すると、図１０（ａ）に示すように、操作表示部２０の画面上に、選択した商品券に対応するガイドライン４０１が表示される。また、第１光源３１が点灯して第１カメラ４１による撮像が開始され、撮像中の商品券の商品券画像２０１が画面上に表示される。ガイドライン４０１は、シート媒体検査装置１を適正位置としたときに、商品券の短手と一致する２本の縦方向のラインと、商品券の長手と一致する２本の横方向のラインとを含む。検査担当者は、シート媒体検査装置１の本体を移動したり回転したりすることにより、操作表示部２０の画面上で、４本のガイドライン４０１を、撮像中の商品券画像２０１の四辺と一致させる。４本のガイドライン４０１が商品券画像２０１の四辺と一致するシート媒体検査装置１の位置が、商品券を検査するための適正位置である。この適正位置で、第１カメラ４１又は第２カメラ４２によって商品券を撮像することにより、記憶部７０の設定データ７３に保存された補正情報に基づいて撮像画像が補正され、操作表示部２０の画面上に、商品券実物と同一サイズかつ同一形状の商品券画像を表示することができる。
【００８１】
シート媒体検査装置１の位置調整を終えたら、再度ガイド表示ボタン３０４を押して、画面上のガイドライン４０１を消すことができる。ガイドライン４０１が消えると、位置調整のために点灯されていた第１光源３１が消灯され、第１カメラ４１による撮像も停止される。筐体１０に設けられたマーカー１５、１６を利用してシート媒体検査装置１の位置調整を行った後、ガイドライン４０１を利用して、さらに高精度に位置調整を行うことができる。
【００８２】
検査担当者は、ガイドライン４０１を利用してシート媒体検査装置１の位置を適正位置にした状態で、商品券の検査を開始する。以下、第１光源３１を点灯して、可視光画像による検査を行う場合を例に、商品券の検査方法を説明する。まず、画面左下にある白色光ボタン３０９ａを押して第１光源３１を点灯する。そして、画面左上の撮影ボタン３０１ａを押すと、第１光源３１に対応する第１カメラ４１が選択され、第１カメラ４１による撮像が開始される。
【００８３】
図１０（ｂ）に示すように、検査する商品券全体を第１カメラ４１で撮像して、設定データ７３の補正情報に基づいて補正した商品券画像２０２が画面上に表示される。撮影ボタン３０１ａを押した後、停止ボタン３０１ｂが押されるまでの間、第１カメラ４１による商品券画像２０２の撮像が継続して行われる。操作表示部２０の画面上の商品券画像２０２は、所定のリフレッシュレートで更新される。リフレッシュレートは画像解像度によって変化する。
【００８４】
検査担当者は、検査する商品券と同一サイズかつ同一形状で画面上に表示された商品券画像２０２を目視確認しながら検査を進める。このとき、検査する商品券の商品券画像２０２に加えて、真正な商品券を撮像した基準画像を画面上に表示することができる。画面上の並列表示ボタン３０３ａを押すと、操作表示部２０の表示モードが並列表示モードになる。
【００８５】
図１１は、並列表示モードの画面例を示す図である。並列表示ボタン３０３ａを押して並列表示モードにすると、図１１（ａ）に示すように、画像表示領域７０３が左右２つに分割される。左側の領域には、実寸大で表示していた商品券画像２０１を縮小した商品券画像２０２が表示される。右側の領域には、記憶部７０の基準データ７１から読み出した真正な商品券の基準画像２１０が表示される。基準画像２１０は、検査する商品券の商品券画像２０２と同じサイズで、商品券画像２０２の隣に並べて表示される。
【００８６】
基準画像２１０は、手動で選択する設定とすることもできるし、自動選択する設定とすることもできる。手動選択する設定では、並列表示ボタン３０３ａを押した際に、選択可能な商品券の種類が画面上に一覧表示される。検査担当者が、商品券の種類を選択すると、この商品券の基準画像２１０が表示される。自動選択する設定では、並列表示ボタン３０３ａを押すと、制御部５０が、商品券画像２０２から特徴を読み取って商品券の種類を識別し、対応する基準画像２１０を表示する。ここでは、白色光を照射して撮像した可視光画像の例を示しているが、紫外光を照射して可視光画像を撮像中であれば、真正な商品券に紫外光を照射して撮像した可視光画像が基準画像として表示される。同様に、赤外光を照射して赤外光画像を撮像中であれば、真正な商品券に赤外光を照射して撮像した赤外光画像が基準画像として表示される。すなわち、基準画像を表示する際には、検査する商品券の撮像条件と同一条件で撮像した基準画像が、同一サイズで表示されるようになっている。
【００８７】
並列表示モードにすると、図１１（ａ）に示すように商品券全体の画像が表示される。この状態から画面上の画像に２本の指で直接触れて操作するピンチアウト操作を行って、商品券画像２０２及び基準画像２１０を拡大することができる。商品券画像２０２の表示と、基準画像２１０の表示は連動するようになっている。具体的には、画面左側で商品券画像２０２を拡大すると、画面右側で基準画像２１０も拡大される。この結果、画面左側には、図１１（ｂ）に示すように、拡大した商品券画像２０２の部分領域が表示される。そして、画面右側には、商品券画像２０２と同一の拡大率で拡大された、商品券画像２０２と同一の部分領域の基準画像２１０が表示される。ピンチイン操作を行って画面左側の商品券画像２０２を縮小すると、画面右側でも基準画像２１０が縮小される。同様に、画面右側の基準画像２１０でピンチイン操作やピンチアウト操作を行った場合も、これに連動して、画面左側の商品券画像２０２が拡大又は縮小される。
【００８８】
拡大表示した画像に１本の指で直接触れて、画像を移動させるドラッグ操作を行って、画面上で、商品券画像２００を移動させることができる。この場合も、商品券画像２０２の表示と、基準画像２１０の表示が連動する。具体的には、画面左側で商品券画像２０２を移動すると、画面右側で基準画像も移動する。商品券画像２００と基準画像２１０は、ドラッグ操作に応じて、同一方向に同一の距離移動する。同様に、画面右側の基準画像２１０を移動するドラッグ操作を行った場合も、これに連動して、画面左側の商品券画像２０２が移動する。並列表示モードでは、拡大、縮小、移動等の操作を行った後に画像位置初期化ボタン３０２を押すと、図１１（ａ）に示すように、商品券全体を表示した初期状態に戻るようになっている。
【００８９】
このように、並列表示モードでは、検査する商品券の商品券画像２０２と、検査する商品券と同一種類の真正な商品券を、検査時と同一条件で撮像した基準画像２１０とが、同じサイズで左右に並べて表示される。また、並列表示された２つの画像のうち一方の画像で、拡大、縮小、移動の操作を行えば、他方の画像にもこの操作が反映される。この結果、画面左右の各領域内には、常に、商品券上の同一の部分領域が、同一の拡大率で表示される。検査担当者は、商品券画像２０２又は基準画像２１０で拡大、縮小、移動等の操作を適宜行って、商品券画像２０２と基準画像２１０とを比較しながら検査を進めることができる。
【００９０】
シート媒体検査装置１では、表示モードを重ね表示モードにすることができる。画面上の重ね表示ボタン３０３ｂを押すと、操作表示部２０の表示モードが重ね表示モードになる。図１２は、重ね表示モードの画面例を示す図である。重ね表示ボタン３０３ｂを押して重ね表示モードにすると、図１２（ａ）に示すように、実寸大で表示された商品券画像２０２の上に、記憶部７０の基準データ７１から読み出した真正な商品券の基準画像２１０が表示される。基準画像２１０は、商品券画像２０２と同じサイズ、すなわち実寸大で、商品券画像２０２から僅かにずれた位置に重ねて表示される。基準画像２１０は、半透明の状態で表示される。
【００９１】
重ね表示モードでは、画面上に表示された商品券画像２０２の位置は固定されている。検査担当者が、画像に１本の指で触れて移動するドラッグ操作を行うと、基準画像２１０のみが移動する。基準画像２１０は半透明で表示され、後ろにある商品券画像２０２が透けて見える。このため、基準画像２１０を商品券画像２０２と重ねたりずらしたりしながら、２つの画像が一致するか否かを確認することができる。
【００９２】
なお、商品券画像２０２に対応する基準画像２１０の選択は、並列表示モードと同様に行われる。また、基準画像２１０の透明度については、管理者モードで変更することができる。また、初期設定では、商品券画像２０２の位置を固定して基準画像２１０を移動する設定となっているが、基準画像２１０の位置を固定して商品券画像を移動する設定とすることもできる。また、初期設定では、商品券画像２０２が通常通りに表示され、基準画像２１０が半透明で表示されるが、基準画像２１０を通常通りに表示して商品券画像２０２を半透明で表示する設定とすることもできる。
【００９３】
重ね表示モードにおいても、画像の拡大操作及び縮小操作を行うことができる。図１２（ａ）に示すように商品券全体の画像が表示された状態で、２本の指で画像に直接触れてピンチアウト操作を行うと、２本の指の間の位置を中心に、商品券画像２０２及び基準画像２１０が拡大される。この結果、図１２（ｂ）に示すように、商品券画像２０２の部分領域と、半透明の基準画像２１０の同一の部分領域とが、同一の倍率で拡大表示される。また、２本の指で画像に直接触れてピンチイン操作を行うと、商品券画像２０２及び基準画像２１０を縮小することができる。
【００９４】
図１２（ｂ）に示すように、拡大表示された画像に１本の指で直接触れてドラッグ操作を行うと、商品券画像２０２の位置は移動せず、半透明で表示された基準画像２１０の位置を移動させることができる。また、拡大表示された画像に２本の指で直接触れてドラッグ操作を行うと、商品券画像２０２の位置を移動させることができる。すなわち、画面上に拡大表示する部分領域の位置を変更することができる。
【００９５】
このように、重ね表示モードでは、検査する商品券の商品券画像２０２の上に、半透明にした基準画像２１０が、商品券画像と同じサイズで重ねた状態で表示される。また、画像を拡大又は縮小したり、拡大表示する部分領域の位置を変更したりすることもできる。検査担当者は、商品券画像２０２の上で基準画像２１０を移動させて比較しながら検査を進めることができる。
【００９６】
図１０〜図１２では第１光源３１を点灯して検査する例を示したが、第２光源３２〜第４光源３４の中から選択した別の光源を点灯する場合も、光源に対応する第１カメラ４１又は第２カメラ４２で撮像した画像を利用して、同様に検査を行うことができる。検査する商品券のセキュリティ要素に合わせて、適切な光源を選択することで、セキュリティ要素を目視確認可能に撮像した商品券画像を取得して検査を行うことができる。また、撮像した商品券画像に対応する基準画像を呼び出して比較しながら検査を行うことができる。
【００９７】
本実施形態では、可視光（白色光）と、紫外光と、波長の異なる２種類の赤外光とを利用する態様を示したが、光源の種類及び数は特に限定されない。例えば、商品券が、赤外光領域で波長の異なる３種類の赤外光に反応して特徴的な画像を示すセキュリティ要素を有する場合は、３種類の赤外光それぞれに対応する光源を設ける。また、商品券が、波長域の異なる複数種類の紫外光に反応して特徴的な画像を示すセキュリティ要素を有する場合は、各波長域に対応する紫外光光源を設ける。光源の種類は、商品券が有するセキュリティ要素の数、セキュリティ要素を目視確認するために必要な光の種類等に応じて適宜選択される。フィルターについても同様に、セキュリティ要素を目視確認可能な画像を取得するために必要であれば、所定波長域をカットするフィルター適宜選択して使用する。
【００９８】
本実施形態では、２つのカメラ４１、４２を利用する態様を示したが、カメラの数及び設置位置は特に限定されない。例えば、波長域の異なる光源を利用する場合も、レンズ部によって色収差による影響を抑えることができれば、単一のカメラを利用する態様であってもよい。また、例えば、商品券が、ホログラムのように、角度によって模様が異なる画像が得られるセキュリティ要素を有する場合には、異なる角度から商品券を撮像する位置にカメラを設けてもよい。検査員モードの画面上にカメラを選択するボタンを設け、カメラを切り替えながら各カメラで撮像中の画像を目視確認すれば、ホログラムの検査を行うこともできる。
【００９９】
上述したように、本実施形態に係るシート媒体検査装置１は、印刷物の上に装置を置いた状態で、この印刷物を検査することができる。商品券等のシート媒体が、複数のシート媒体を含む大判印刷物から切り出して作製される場合は、大判印刷物の上にシート媒体検査装置１を置いて、大判印刷物に含まれる各シート媒体を検査することができる。検査時には、操作表示部２０の画面上に、検査するシート媒体を撮像した画像と、このシート媒体と同一種類の真正なシート媒体を撮像した基準画像とを並べて表示したり、一方の画像を半透明にして重ねて表示したりすることができる。また、画面上で、画像の拡大、縮小、移動等の操作を行って、検査するシート媒体の画像と基準画像とを比較しながら検査を進めることができる。これにより、シート媒体の検査を容易に進めることができる。
【産業上の利用可能性】
【０１００】
以上のように、本発明に係るシート媒体検査装置は、シート状の有価媒体が有するセキュリティ要素を容易に確認するために有用である。
【符号の説明】
【０１０１】
１  シート媒体検査装置
１０  筐体
１５  長手マーカー
１６  短手マーカー
１７  把手部
１８  脚部
１９  持上検知センサ
２０  操作表示部
３１〜３４  光源
４１、４２  カメラ
５０  制御部
５１  本体部
５２  撮像部
６０  通信Ｉ／Ｆ
７０  記憶部
８０  バッテリー
１３５  可視光フィルター
１４０  紫外光フィルター
１５０  拡散板
１５１〜１５３  反射板
【図１】
2019070892.tif 000003
【図２】
2019070892.tif 000004
【図３】
2019070892.tif 000005
【図４】
2019070892.tif 000006
【図５】
2019070892.tif 000007
【図６】
2019070892.tif 000008
【図７】
2019070892.tif 000009
【図８】
2019070892.tif 000010
【図９】
2019070892.tif 000011
【図１０】
2019070892.tif 000012
【図１１】
2019070892.tif 000013
【図１２】
2019070892.tif 000014